(57)【要約】【課題】  圧力調整装置に設けられた調整ねじを回転させるためにスパナ等の工具が必要なため狭い施工スペースでは工具が扱いにくいという課題があった。また、ポンプ装置の取り扱い経験が少ない施工者が、ポンプ装置から発生する流水音を基に調整する場合、音による判断が十分にできずに揚水不能となり、製品不良と誤認される場合があった。【解決手段】  回転ポンプとジェットポンプを組み合わせて構成し圧力調整装置が取り付けられているポンプ装置であって、圧力調整装置を調整する際に工具を用いず、手で調整できる調整ダイヤルを用いたことを特徴とする。【選択図】図６
2020012378.tif 000002
【特許請求の範囲】
【請求項１】
回転ポンプとジェットポンプを組み合わせ、圧力調整装置を有するポンプ装置であって、前記圧力調整装置の調整に工具を用いず、手で回転できる調整ダイヤルを設けたことを特徴とするポンプ装置。
【請求項２】
前記圧力調整装置に組み込まれる調整ねじは回転せず、調整ダイヤルの回転により進退することを特徴とする請求項１に記載のポンプ装置。
【請求項３】
前記圧力調整装置に組み込まれる調整ねじの一部に目盛や文字を表示したことを特徴とする請求項１に記載のポンプ装置。
【請求項４】
前記調整ダイヤルの内径ならびに前記調整ねじの外径に逆ねじを有していることを特徴とする請求項１に記載のポンプ装置。
【発明の詳細な説明】
【技術分野】
【０００１】
本発明は、回転ポンプとジェットポンプを組み合わせて構成するポンプ装置に関するものである。
【背景技術】
【０００２】
本特許文献として、特許文献１に示すポンプ装置がある。
回転ポンプとジェットポンプを組み合わせて構成するポンプ装置は、回転ポンプで加圧した水を吸込パイプの先端に設置したジェットポンプに供給して揚水し、吸い上げた水を加圧して圧力タンクに蓄えて蛇口に供給する構成である。そして、回転ポンプには、水圧を調整する圧力調整装置が取り付けられている。
【０００３】
特許文献１には圧力調整装置が記載されている。
【０００４】
ここで、圧力調整装置の調整方法について、一般的には圧力ゲージを呼び水給水栓部に取り付け規定の圧力値に合わせる方法と、圧力ゲージを用いずポンプ装置から発生する流水音（キャビテーション音）を基に調整する方法があるが、圧力ゲージを必要としない後者の方法が多く用いられ、圧力調整装置に設けられた調整ねじをスパナ等の工具で回転させ調整を行っている。また、前記調整ねじの回転（締め込み）量は井戸水位により異なる。
【先行技術文献】
【特許文献】
【０００５】
【特許文献１】特開平９−２９６７８０号公報
【発明の概要】
【発明が解決しようとする課題】
【０００６】
前述のとおり、圧力調整装置に設けられた調整ねじを回転させるためにスパナ等の工具が必要なため狭い施工スペースでは工具が扱いにくいという課題があった。また、ポンプ装置の取り扱い経験が少ない施工者が、ポンプ装置から発生する流水音を基に調整する場合、音による判断が十分にできずに揚水不能となり、製品不良と誤認される恐れがあった。
【課題を解決するための手段】
【０００７】
回転ポンプとジェットポンプを組み合わせて構成し圧力調整装置が取り付けられているポンプ装置であって、圧力調整装置を調整する際に工具を用いず、手で調整できる調整ダイヤルを用いたことを特徴とする。
【０００８】
さらに、前記調整ダイヤルの回転（締め込み）量は井戸水位により異なるが、回転（締め込み）量の目安となる目盛と文字を調整ねじに表示したことを特徴とする。
【発明の効果】
【０００９】
本発明により、圧力調整装置の調整作業が向上するとともに調整不備を削減することができる。
【図面の簡単な説明】
【００１０】
【図１】本発明の一実施例に係るポンプ装置の縦断面図である
【図２】本発明の一実施例に係る外かくカバーを外したポンプ装置の斜視図である。
【図３】従来の一実施例に係る外かくカバーを外したポンプ装置後方から圧力調整装置を見た斜視図である。
【図４】従来の一実施例に係る圧力調整装置の断面図である。
【図５】従来の一実施例に係る圧力調整装置の調整作業図である。
【図６】本発明の一実施例に係る外かくカバーを外したポンプ装置後方から圧力調整装置を見た斜視図である。
【図７】本発明の一実施例に係る圧力調整弁の調整ねじを開いた状態の断面図である。
【図８】本発明の一実施例に係る圧力調整弁の調整ねじを締め込んだ状態の断面図である。
【図９】本発明の一実施例に係る調整ダイヤルの斜視図である。
【図１０】本発明の一実施例に係る調整ねじの斜視図である。
【発明を実施するための形態】
【００１１】
以下、本発明の一実施例であるポンプ装置の構成概要を図１から図３を用いて説明する。
【００１２】
ポンプ装置は、空気式圧力タンク１と、この空気式圧力タンク１の上に配置されたポンプ駆動用モータ２と、ポンプ駆動用モータ２の回転速度を変速させる速度制御装置が搭載された制御基板３と、それらを覆う外かくカバー４とが備わる。また、圧力調整装置３０が取り付けられている。
【００１３】
ポンプ部は、渦巻室を兼ねたケーシング１１に、ポンプ駆動用モータ２が構成され、ポンプ駆動用モータ２のシャフト２ａに羽根車１２が螺着される。羽根車１２の外周にはガイドベーン１３がねじ等でケーシング１１に固定される。
【００１４】
ケーシング１１の前面には、ケーシングカバー１４が備わりケーシング１１に蓋をする構成になる。ケーシングカバー１４には、揚水の吸込口となる吸込みフランジ１５と、ケーシング１１と吸込みフランジ１５とを水封する、フランジパッキンと羽根車１２とガイドベーン１３によって圧力が高められた揚水の一部を吸込み側（ジェットポンプ）に戻すための圧力フランジ１６が備わる。
【００１５】
また、空気式圧力タンク１の側面には揚水を水栓に送付するために設けられる配管接続用の吐出しフランジ５が接続され、ケーシング１１の上部にはねじ込み式の呼び水給水用栓１７が備わる。
【００１６】
ポンプ装置は、電源を入れ運転すると、揚水された水が吐出しフランジ５を介して吐出管から送り出され、吐出管につながる流路が閉じられると、吐出管から下流側の圧力が上がり、圧力センサー６が作動してポンプ駆動用モータ２が止まる。
【００１７】
次に、圧力調整装置３０の構造とその動作について図４と図５を用いて説明する。
【００１８】
圧力調整装置３０は、圧力室１１ａに連通するケーシング水路内１１ｂから空気式圧力タンク１に連通するケーシング外水路１１ｃの間の水路断面積１１ｄを変えて圧力室１１ａの水圧を調整する。圧力調整装置３０のバルブ３１は、スプリング３２と該スプリング３２を包囲してバルブ３１を保護するためのスプリングシート３３を内蔵している。
【００１９】
圧力調整装置３０はケーシング１１の後方に形成され、この圧力調整装置取り付け面にボルト３４で固定されてバルブ３１を挾着状態に取り付けるバルブカバー３４ａは、その中心に形成したねじ部に螺合してスプリング３２のバネ力を調整する調整ねじ３５を具備する。この調整ねじ３５を回転させることにより進退し、図５に示すとおり、スパナ等の工具３５ａでケーシング１１の後方から見て時計方向矢印３５ｂ（右ねじ）に回転させると締め込まれ、スプリング３２のバネ力が強まることで圧力室１１ａに連通するケーシング水路内１１ｂから空気式圧力タンク１に連通するケーシング外水路１１ｃの間の水路断面積が狭まり、吸込パイプの先端に設置したジェットポンプに十分な水圧が印加されることで安定した揚水が可能となる。
【００２０】
しかしながら、圧力調整装置３０を調整する際、圧力調整装置３０に設けられた調整ねじ３５を回転させるためにスパナ等の工具３５ａが必要なため狭い施工スペースでは工具が扱いにくいという課題があった。また、ポンプ装置の取り扱い経験が少ない施工者が、前述したポンプ装置から発生する流水音を基に調整する場合、音による判断が十分にできず揚水不能となり、製品不良と誤認される恐れがあった。
【００２１】
次に、本発明の圧力調整装置の構造について図６〜図１０を用いて説明する。
【００２２】
前述のとおり、狭い施工スペースではスパナ等の工具３５ａが扱いにくい課題があったことから、工具を使用せず手で調整ができる調整ダイヤル３６を設ける、調整ねじ３７自体は回転せずに調整ダイヤル３６の回転により進退する構造にするとともに、調整ねじ３７の一部にスペース３７ｂを設け、スペース３７ｂには調整ダイヤル３６の回転（締め込み）量の目安が分かる目盛３７ｃと文字３７ｄ（井戸水位）を表示した。以上により、事前に井戸水位を確認の上、図８に示すように目安の位置まで調整ダイヤル３６を回転させることで施行者の技量に関わらず揚水可能となる。なお、調整ねじ３７のスペース３７ｂは、平面でも曲面でもよい。
【００２３】
表示方法は、ラベル等の貼付け、押印の他、調整ねじ３７の材質に樹脂を用いた場合は文字を一体形成でき、金属材料を用いた場合は刻印等により表示可能である。
【００２４】
また、従来の圧力調整装置３０と同様にケーシング１１の後方から見て時計方向３５ｂに回転させるとスプリング３２が縮むよう、調整ダイヤル３６の内径ねじ部３６ａ（図９）と、組合せる本発明の調整ねじ３７の外径ねじ３７ａ（図１０）とを、逆ねじで形成し、目調整ダイヤル３６の外周部に回転方向を示す文字３６ｂを表示し目視確認できるようにしてある。
【００２５】
本発明は代表的ポンプである空気式圧力タンクを有するポンプ装置を例示するが、本発明は空気式圧力タンクを有するポンプに限定されるものではない。
【符号の説明】
【００２６】
１・・・空気式圧力タンク、２・・・ポンプ駆動用モータ、２ａ・・・シャフト、
３・・・制御基板、４・・・外かくカバー、５・・・吐出しフランジ、
６・・・圧力センサー、１１・・・ケーシング、
１１ａ・・・圧力室、１１ｂ・・・ケーシング水路内、１１ｃ・・・ケーシング外水路、
１１ｄ・・・水路断面積、１２・・・羽根車、１３・・・ガイドベーン、
１４・・・ケーシングカバー、１５・・・吸込みフランジ、１６・・・圧力フランジ、
１７・・・呼び水給水用栓、３０・・・圧力調整装置、３１・・・バルブ、
３２・・・スプリング、３３・・・スプリングシート、３４・・・ボルト、
３４a・・・バルブカバー、３５・・・調整ねじ、３５ａ・・・スパナ等の工具、３５ｂ・・・時計方向向矢印、３６・・・調整ダイヤル、３６ａ・・・内径ねじ、
３６ｂ・・・回転方向を示す文字、３７・・・調整ねじ、３７ａ・・・外径ねじ、
３７ｂ・・・スペース、３７ｃ・・・目盛、３７ｄ・・・文字
【図１】
2020012378.tif 000003
【図２】
2020012378.tif 000004
【図３】
2020012378.tif 000005
【図４】
2020012378.tif 000006
【図５】
2020012378.tif 000007
【図６】
2020012378.tif 000008
【図７】
2020012378.tif 000009
【図８】
2020012378.tif 000010
【図９】
2020012378.tif 000011
【図１０】
2020012378.tif 000012